(57)【特許請求の範囲】
【請求項１】
ａ）相互に摺動する内管（２）と、外管（３）と、
ｂ）前記外管（３）に固定されるスリーブ（４）と、
ｃ）前記内管（２）と外管（３）とを相互にロックし得る少なくとも１個の第１拘束手段（５）と、
ｄ）弾性手段（２４）の作用を受けて、少なくとも前記第１拘束手段（５）に掛合する推力スライダ（７）と、
ｅ）前記推力スライダ（７）に作動可能に連結された操作手段（８）とを具え、
ｆ）前記内管（２）に所定形状の１連の切欠（１２）を設け、
ｇ）前記第１拘束手段（５）と、前記推力スライダ（７）とを移動できるように前記スリーブ（４）によって支持し、
ｈ）前記内管（２）の前記切欠（１２）のうち一つに前記第１拘束手段（５）を強制的に保持して、前記外管（３）内に前記内管（２）をロックするため、前記弾性手段（２４）の作用により、前記推力スライダ（７）を前記第１拘束手段（５）に作用させ、
ｉ）前記操作手段（８）により、前記推力スライダ（７）を前記第１拘束手段（５）から離脱させて、前記第１拘束手段（５）を前記切欠（１２）の外に半径方向に移動できるように自由にし、前記内管（２）を前記外管（３）から釈放し、前記内管（２）を前記外管（３）に対し摺動させて、長さを調整できるようにし、
ｊ）縦方向の空所（１５）と、この空所（１５）の底壁に形成された凹所（１９）とを前記スリーブ（４）に設け、
ｋ）前記推力スライダ（７）を前記縦方向の空所（１５）内に収容して、前記外管（３）によって半径方向に拘束した
家庭用電気機器の伸縮管（１，５１）において、
ｌ）前記推力スライダ（７）を平坦で長いスライダとし、
ｍ）前記外管（３）はほぼ一定直径の横断面を有すると共に、側方開口（２２）を有し、
ｎ）ほぼ一定直径の横断面を有する前記外管（３）と、前記内管（２）との間に前記スリーブ（４）を配置し、
ｏ）少なくとも１個の第１溝孔（２６）を前記推力スライダ（７）に設け、
ｐ）前記弾性手段（２４）を前記推力スライダ（７）の前記第１溝孔（２６）内に収容して、前記スリーブ（４）の前記凹所（１９）に掛合させ、
ｑ）前記推力スライダ（７）が縦方向に、第１方向に移動して、前記第１拘束手段（５）が半径方向に移動し、前記内管（２）の前記切欠（１２）の一つから離れた時、この第１拘束手段（５）を収容するように構成された少なくとも１個の第２溝孔（２７）を前記推力スライダ（７）に設けた
ことを特徴とする家庭用電気機器の伸縮管。
【請求項２】
前記外管（３）の前記側方開口（２２）をこの外管（３）の一端（２３）まで延在し、前記側方開口（２２）に掛合する縦方向の外部突起（１４）を前記スリーブ（４）に設け、前記外管（３）を前記スリーブ（４）に連結して、この外管（３）をこのスリーブ（４）に対し心決めすることを特徴とする請求項１に記載の伸縮管。
【請求項３】
前記スリーブ（４）の縦方向の前記空所（１５）内に収容された前記推力スライダ（７）を操作し得るように、前記外管（３）の前記側方開口（２２）の寸法を定めたことを特徴とする請求項１、又は２に記載の伸縮管。
【請求項４】
前記第１拘束手段（５）に半径方向の推力を作用させるように構成された傾斜端縁部（３１）を前記第２溝孔（２７）に設けたことを特徴とする請求項１に記載の伸縮管。
【請求項５】
前記内管（２）の切欠（１２）に掛合するように構成された第２拘束手段（６）を更に具え、前記推力スライダ（７）が前記第１方向に縦方向に移動し、前記第２拘束手段（６）が半径方向に移動して、前記内管（６）の前記切欠（１２）から離れた時、この第２拘束手段（６）を収容するように構成された第３溝孔（２９）を前記推力スライダ（７）に設けたことを特徴とする請求項１に記載の伸縮管。
【請求項６】
前記第２拘束手段（６）に半径方向の推力を作用させるように構成された傾斜端縁部（３３）を前記第３溝孔（２９）に設けたことを特徴とする請求項５に記載の伸縮管。
【請求項７】
前記推力スライダ（７）が前記第１方向の反対方向に、縦方向に移動し、前記第１拘束手段（５）、及び第２拘束手段（６）がそれぞれ半径方向に移動して、前記切欠のうちの一つ、及び切欠（１２）のうち他の一つからそれぞれ離れた時、前記第１拘束手段、及び第２拘束手段（５、６）を収容するように構成された第４溝孔、及び第５溝孔（２８、３０）を前記推力スライダ（７）に設けたことを特徴とする請求項５または６に記載の伸縮管。
【請求項８】
前記第２溝孔、及び第３溝孔（２７、２９）の前記傾斜端縁部（３１、３３）の傾斜と反対方向に傾斜している傾斜端縁部（３２、３４）を前記第４溝孔、及び第５溝孔（２８、３０）にそれぞれ設けたことを特徴とする請求項７に記載の伸縮管。
【請求項９】
ほぼ垂直に突出する舌片（３５）を前記推力スライダ（７）に設けたことを特徴とする請求項１に記載の伸縮管。
【請求項１０】
前記操作手段（８）に掛合するよう前記推力スライダ（７）の前記舌片（３５）を前記外管（３）の前記側方開口（２２）から突出させたことを特徴とする請求項９に記載の伸縮管。
【請求項１１】
前記推力スライダの前記舌片（３５）にアンダカット（３６）を設け、付加的アンダカット（４３）を設けたポケット（４２）を有する押しボタン（４１）によって前記操作手段（８）を構成し、前記付加的アンダカット（４３）を前記舌片（３５）の前記アンダカット（３６）にスナップ掛合させることを特徴とする請求項１０に記載の伸縮管。
【請求項１２】
前記推力スライダ（７）の前記舌片（３５）に掛合するバヨネット継手（５４、５５、５６）を設けた環状ナット（５２）によって、前記操作手段（８）を構成し、前記外管（３）にリリーフ（６０）を設け、前記環状ナット（５２）と、前記スライダ（７）とを縦方向に移動できるように互いにロックし、前記環状ナット（５２）を前記外管（３）に対し縦方向に移動できるようにしたことを特徴とする請求項１０に記載の伸縮管。
【請求項１３】
前記外管（３）の前記一端（２３）が衝合するカラー（１３）を前記スリーブ（４）に設け、前記カラー（１３）、及び前記外部突起（１４）の外面と、前記外管（３）の外面とが同一円筒外面になるよう前記カラー（１３）と、前記外部突起（１４）との厚さを前記外管（３）の厚さに等しくしたことを特徴とする請求項２に記載の伸縮管。
【請求項１４】
前記スリーブ（４）に縦方向の内部張出し（１６）を設け、前記内管（２）に縦方向の溝（１０）を設け、前記内管（２）に対し前記スリーブ（４）を心決めするよう、前記スリーブ（４）の縦方向の前記内部張出し（１６）を縦方向の前記溝（１０）に掛合させることを特徴とする請求項１に記載の伸縮管。
【請求項１５】
縦方向の前記溝（１０）の底壁（１１）に前記切欠（１２）を設け、前記溝（１０）に掛合する前記スリーブ（４）の縦方向の前記内部張出し（１６）が前記推力スライダ（７）を収容する縦方向の前記空所（１５）の下に配置されるよう構成したことを特徴とする請求項１４に記載の伸縮管。
【発明の詳細な説明】
【０００１】
【発明の属する技術分野】
本発明は電気掃除機等の家庭用電気機器の伸縮管に関するものである。
【０００２】
【従来の技術】
相互にシールするように摺動する内管、及び外管と、スリーブと、内管、及び外管を互いにロックし得る拘束手段と、弾性手段の作用により拘束手段に掛合する推力スライダと、この推力スライダに作動可能に連結された操作手段とを具える家庭用電気機器の伸縮管は既知である。これ等の伸縮管においては、所定の形状の１列の切欠を内管に設け、スリーブを外管に固着し、拘束手段と、推力スライダとを移動できるように上記スリーブ内に支持する。上記弾性手段もこのスリーブ内に収容されている。
【０００３】
弾性手段の作用を受けて、推力スライダは拘束手段に作用し、内管の切欠内に拘束手段を強制的に入れ、外管内に内管をロックする。
【０００４】
一方、操作手段により、推力スライダを拘束手段から離脱させることができ、拘束手段を半径方向に自由に動くことができるようにして、拘束手段を内管の切欠から外す。このようにして、内管を外管から離脱させて、外管に対し摺動させることにより、伸縮管の長さを調整することができる。
【０００５】
上記のスリーブを収容するため、或る従来の伸縮管は拡開部（拡大した部分）を設けた外管を有する。この種の伸縮管はヨーロッパ特許第0293518 号に記載されている。この伸縮管は外管の拡開部があるため、容積が大きくなり、取扱いが困難な欠点がある。
【０００６】
また、代案の先行技術として、絞り加工によって外管に形成された窪みに着座するスリーブの突起に、ロック釈放スライダを取り付けている。
従って、これ等両形式の伸縮管は外管の制御された変形が必要である。そのための処理技術は次のような欠点がある。
・適切な機械を使用する必要があること。
・加工時間が長くなること。
・高い降伏強さを有する高価な材料を必要とすること。
・生産時に大量の不合格品が発生すること。
【０００７】
外管を変形させなければならないことから生ずるこれ等の欠点を除去するため、ヨーロッパ特許公開第0601620 号はほぼ一定直径の横断面を有する外管に二重スリーブを固定した伸縮管を提案している。しかし、この伸縮管も可成り容積が大きく、高価である欠点がある。それは構成部片数が多く、組立て時間が長いためである。
【０００８】
ドイツ特許第19615814号は相互に摺動する内管と、外管とを１個の拘束素子によって、一体化した電気掃除機用伸縮管を開示している。この外管は拡開部を有し、スリーブをこの拡開部に固定し、このスリーブによって内管を支持している。このスリーブに縦方向の突起を設け、この突起を内管の縦方向の溝に掛合させて、内管の摺動運動を案内している。この縦方向の溝の底部に切欠を設け、この切欠に拘束素子を収容し得るようにしている。外管の拡開部と、スリーブとの間に操作スライダを介挿し、内管と外管とのロック、及びアンロックのため、拘束素子を操作スライダによって動かすようにしている。
【０００９】
上記操作スライダは内管の切欠内のロック位置に、拘束素子を保持し得るロック保持器を有している。更に、この操作スライダは離脱位置に、拘束素子を収容するための第１半球窪みと、ばねを収容するための第２半球窪みとを有する。更に、この操作スライダはその縦摺動方向に外管の前端縁に位置するノブを設けている。
【００１０】
この第１の窪み、及び第２の窪みの存在のため、この操作スライダは非常に厚くなり、外管の拡開部には操作スライダを収容し得る拡大トンネル状座を設けている。従って、この外管は拡開部と、拡大トンネル状座とを形成するため、２度の変形加工を受ける。そのため、この伸縮管の製作は面倒であり、高価である。更にこの伸縮管の全横方向寸法は大きく、取り扱いにくく、外観が悪い欠点がある。
【００１１】
【発明が解決しようとする課題】
本発明の目的は従来の家庭用電気機器の伸縮管の欠点を除去し、小形で取扱いが容易であり、製作が容易で、安価な家庭用電気機器の伸縮管を得るにある。
【００１２】
【課題を解決するための手段】
この目的を達成するため、本発明家庭用電気機器の伸縮管は
ａ）相互に摺動する内管と、外管と、
ｂ）前記外管に固定されるスリーブと、
ｃ）前記内管と外管とを相互にロックし得る少なくとも１個の第１拘束手段と、
ｄ）弾性手段の作用を受けて、少なくとも前記第１拘束手段に掛合する推力スライダと、
ｅ）前記推力スライダに作動可能に連結された操作手段とを具え、
ｆ）前記内管に所定形状の１連の切欠を設け、
ｇ）前記第１拘束手段と、前記推力スライダとを移動できるように前記スリーブ）によって支持し、
ｈ）前記内管の切欠内の一つに前記第１拘束手段を強制的に保持して、前記外管内に前記内管をロックするため、前記弾性手段の作用により、前記推力スライダを前記第１拘束手段に作用させ、
ｉ）前記操作手段により、前記推力スライダを前記第１拘束手段から離脱させて、前記第１拘束手段を前記切欠の外に半径方向に移動できるように自由にし、前記内管を前記外管から釈放し、前記内管を前記外管に対し摺動させて、長さを調整できるようにし、
ｊ）縦方向の空所と、この空所の底壁に形成された凹所とを前記スリーブに設け、
ｋ）前記推力スライダを前記縦方向の空所内に収容して、前記外管によって半径方向に拘束した
家庭用電気機器の伸縮管において、
ｌ）前記推力スライダを平坦で長いスライダとし、
ｍ）前記外管はほぼ一定直径の横断面を有すると共に、側方開口を有し、
ｎ）ほぼ一定直径の横断面を有する前記外管と、前記内管との間に前記スリーブを配置し、
ｏ）少なくとも１個の第１溝孔を前記推力スライダに設け、
ｐ）前記弾性手段を前記推力スライダの前記第１溝孔内に収容して、前記スリーブの前記凹所に掛合させ、
ｑ）前記推力スライダが縦方向に、第１方向に移動して、前記第１拘束手段が半径方向に移動し、前記内管の前記切欠の一つから離れた時、この第１拘束手段を収容するように構成された少なくとも１個の第２溝孔を前記推力スライダに設けた
ことを特徴とする。
【００１３】
【発明の実施の形態】
前記外管の前記側方開口をこの外管の一端まで延在し、前記側方開口に掛合する縦方向の外部突起を前記スリーブに設け、前記外管を前記スリーブに連結して、この外管をこのスリーブに対し心決めするのが好適である。
前記スリーブの縦方向の前記空所内に収容された前記推力スライダを操作し得るように、前記外管の前記側方開口の寸法を定めるのが有利である。
【００１４】
前記推力スライダが縦方向に、第１方向に移動して、前記第１拘束手段が半径方向に移動し前記内管の前記第１切欠から離れた時、この第１拘束手段を収容するように構成された少なくとも１個の第２溝孔を前記推力スライダに設けるのが好適である。
更に、前記第１拘束手段に半径方向の推力を作用させるように構成された傾斜端縁部を前記第２溝孔に設ける。
【００１５】
前記内管の第２切欠に掛合するように構成された第２拘束手段を更に具え、前記推力スライダが前記第１方向に縦方向に移動し、前記第２拘束手段が半径方向に移動して、前記内管の前記第２切欠から離れた時、この第２拘束手段を収容するように構成された第３溝孔を前記推力スライダに設けるのが有利である。
前記第２拘束手段に半径方向の推力を作用させるように構成された傾斜端縁部を前記第３溝孔に設けるのが好適である。
【００１６】
更に、前記推力スライダが前記第１方向の反対方向に、縦方向に移動し、前記第１拘束手段、及び第２拘束手段がそれぞれ半径方向に移動して、前記第１切欠、及び第２切欠からそれぞれ離れた時、前記第１拘束手段、及び第２拘束手段を収容するように構成された第４溝孔、及び第５溝孔を前記推力スライダに設ける。
前記第２溝孔、及び第３溝孔の前記傾斜端縁部の傾斜と反対方向に傾斜している傾斜端縁部を前記第４溝孔、及び第５溝孔にそれぞれ設けるのが有利である。
ほぼ垂直に突出する舌片を前記推力スライダに設けるのが好適である。
【００１７】
前記操作手段に掛合するよう前記推力スライダの前記舌片を前記外管の前記側方開口から突出させるのが有利である。
前記推力スライダの前記舌片にアンダカットを設け、付加的アンダカットを設けたポケットを有する押しボタンによって前記操作手段を構成し、前記付加的アンダカットを前記舌片の前記アンダカットにスナップ掛合させるのが有利である。
【００１８】
本発明の変形の実施例によれば、前記推力スライダの前記舌片に掛合するバヨネット継手を設けた環状ナットによって、前記操作手段を構成し、前記外管にリリーフを設け、前記環状ナットと、前記スライダとを縦方向に移動できるように互いにロックし、前記環状ナットを前記外管に対し縦方向に移動できるようにする。
【００１９】
前記外管の前記一端が衝合するカラーを前記スリーブに設け、前記カラー、及び前記外部突起の外面と、前記外管の外面とが同一の円筒外面になるよう前記カラーと、前記外部突起との厚さを前記外管の厚さに等しくするのが好適である。前記スリーブに縦方向の内部張出しを設け、前記内管に縦方向の溝を設け、前記内管に対し前記スリーブを心決めするよう、前記スリーブの縦方向の前記内部張出しを縦方向の前記溝に掛合させるのが有利である。
【００２０】
縦方向の前記溝の底壁に前記切欠を設け、前記溝に掛合する前記スリーブの縦方向の前記内部張出しが前記推力スライダを収容する縦方向の前記空所の下に配置されるよう構成するのが好適である。
【００２１】
本発明家庭用電気機器の伸縮管は非常にコンパクトで、軸線方向の推力、及びトルクのような操作時の応力に対して、特に抵抗を有する利点がある。
更に、非常に簡単なプロセスで組み立てることができるため、生産時間、及び生産コストを減少させることができ、組立作業を自動化することも容易である利点がある。
【００２２】
本明細書の説明、及び特許請求の範囲の中の「ほぼ一定直径の横断面を有する管」の表現はスリーブの全部、又は一部を収容するため、変形した部分が無いように構成された管を表示するために使用したものである。しかし、それとは異なる機能を有するようにするための管の変形も存在し得る。
添付図面に例として示した実施例を参照して、本発明の特徴ある要旨、及び利点を次に説明する。
【００２３】
【実施例】
図１〜図６に電気掃除機のような家庭用電気機器のための伸縮管１を示す。この伸縮管１は内管２と、外管３と、スリーブ４と、拘束手段５、６と、推力スライダ７と、操作手段８とを具える。
内管２と、外管３とは相互にシール状態に摺動する。内管と外管との間に配置されたシールは図示しない。内管２、及び外管３は例えば外側をクロムめっきした不銹鋼シートで造る。
内管２は縦方向のほぼ平行六面体の形状の溝１０を有し、この溝１０の底壁１１に１列の切欠１２を形成する。これ等切欠１２は一部円筒形を有する。小さな鋼製円筒体から成る拘束手段５、６はそのうちの２個が同時に掛合している。
【００２４】
スリーブ４に縦方向に延びる空所１５と、外部突起１４と、カラー１３と、内部張出１６（図７参照）とを設ける。外部突起１４はほぼ平行六面体の形状を有し、空所１５と一線をなす。空所１５の底壁１８は、端壁３９、４０を有するほぼ平行六面体の形状の凹所１９を有する（図７参照）。更に空所１５の底壁１８は２個の長方形溝孔２０、２１を有する。内管２のそれぞれの切欠１２に対し円筒体、即ち拘束手段５、６を掛合させ、又は離脱させるため、拘束手段５、６が半径方向に移動している間、この拘束手段５、６を長方形溝孔２０、２１が案内する。内部張出し１６はほぼ平行六面体の形状を有し、長さはスリーブ４の長さに等しい。スリーブ４は例えば適切なプラスチック材料で造られる。
【００２５】
外管３は一端２３まで延びる側方開口２２を有し、外管の端部２３がスリーブのカラー１３に衝合するまで、側方開口２２はスリーブ４の外部突起１４に掛合する（図５〜図７参照）。従って、外管３はスリーブ４に掛合し、外管３はスリーブ４に対して中心を占める。またカラー１３、及び外部突起１４の厚さは実際上、外管の厚さに等しいから、外管の外面はカラー１３、及び外部突起１４の外面と同一の円筒外面である。外管３の開口２２はスリーブ４の外部突起１４より長さが長いから、小窓９が残る。この小窓の機能については以下に説明する。外管３は２個の方形孔４８を有し、この方形孔にスリーブ４の突起４９（図５、図６、及び図７参照）が掛合し、外管とスリーブとを相互に緊締する。
スリーブ４の縦方向の空所１５は推力スライダ７、及び螺旋ばね２４を収容する。
【００２６】
推力スライダ７は長く、幅の狭い、薄い長方形板２５によって形成されており、この長方形板２５に溝孔２６、２７、２８、２９、３０を設け、更に一端には、ほぼ垂直の突出舌片３５を有する。またこの突出舌片にはアンダカット３６（図８〜図１１参照）を設ける。外管３をスリーブ４のカラー１３に衝合させた時、外管３の開口２２に残った小窓９から突出舌片３５が突出する。溝孔２６は長方形で、縦方向に一層長く、一方４個の溝孔２７、２８、２９、３０は横方向に一層長い長方形である。
【００２７】
溝孔２７、２８は反対方向に傾斜した端縁部３１、３２を有し、溝孔２９、３０は反対方向に傾斜した端縁部３３、３４を有する（図９参照）。以下に説明するように、円筒体５、６が切欠１２の外にある時（図３、及び図４参照）、溝孔２７、２８、２９、３０の傾斜端縁部３１、３２、３３、３４は円筒体５、又は６に下向きの推力を作用させる。推力スライダ７は例えば適切なプラスチック材料で造られ、長方形板２５の長さは約５５ｍｍ、幅は約８ｍｍ、厚さは約１．８ｍｍである。溝孔の傾斜端縁部３１、３２、３３、３４は垂直線に対し約７０°の角度に傾斜している。
【００２８】
螺旋ばね２４は推力スライダ７の溝孔２６によって支持され、スリーブ４の凹所１９に掛合する。螺旋ばね２４は溝孔２６内に予張力を加えて取り付けられ、この螺旋ばね２４の両端の半分は溝孔２６の側端部３７、３８に接触し、残りの半分は凹所１９の端縁部３９、４０に接触する。
【００２９】
操作手段８は推力スライダに固定される押しボタン４１によって形成されている。押しボタン４１はアンダカット４３を設けたポケット４２を有し（図２参照）、このアンダカット４３は推力スライダ７の舌片３５のアンダカット３６に掛合する（図１０、及び図１１参照）。
この伸縮管１においては、上述の機能を遂行する溝孔２６、２７、２８、２９、３０があるため、推力スライダ７の長方形板２５は最小の厚さを有する。
【００３０】
螺旋ばね２４が初期組立状態にあって、その両端が溝孔２６の側端部３７、３８、及び凹所１９の側端部３９、４０に掛合している時、押しボタン４１、及び推力スライダ７は図３、及び図４にそれぞれ示す２個の反対作用位置の間の中間の図１に示す休止位置を占める。押しボタン４１、及び推力スライダ７が休止状態にある時は、円筒体、即ち拘束手段５、６は内管２のそれぞれの切欠１２内に強制的に保持されている。この状態においては、内管２、及び外管３は固く結合されており、予め選択された長さの伸縮管１を形成している。
【００３１】
伸縮管１の長さを調整するため、矢印４５、４６（図１参照）によって示す右方向、又は左方向に手動で押しボタン４１を押圧する。それにより、小窓９内で移動する舌片３５により、押しボタン４１は推力スライダ７を右作動位置（図３参照）に動かし、又は左作動位置（図４参照）に動かす。推力スライダ７が２個の作動位置の一方を占める時、円筒体、即ち拘束手段５、６を内管２の切欠１２の外に自由にし、スリーブ４の溝孔２０、２１によって案内して半径方向に円筒体５、６を動かし、溝孔２７、２９（図３参照）内に、又は溝孔２８、３０（図４参照）内に貫入させる。
このようにして、伸縮管１が希望する長さに達するまで、内管２を外管３の内側で摺動させることができる。
【００３２】
押しボタン４１を釈放すると、溝孔２７、２９の傾斜端縁部３１、３３、又は溝孔２８、３０の傾斜端縁部３２、３４によって、推力スライダ７は内管２の切欠１２内に、円筒体５、６を再び押圧する。
【００３３】
伸縮管１を組み立てる手順は次の工程から成る。
i スリーブ４を内管２に取り付け、スリーブ４の内部張出し１６が内管の縦方向の溝１０に連結されるようにする。
ii  円筒体、即ち拘束手段５、６をスリーブ４の溝孔２０、２１に挿入し、内管２の２個のそれぞれの切欠１２内に位置させる。
iii 螺旋ばね２４を推力スライダ７の溝孔２６内に予張力を加えて取り付ける。
iv  スリーブ４の縦方向の空所１５内に推力スライダ７を収容し、螺旋ばね２４をスリーブ４の凹所１９に掛合させ、推力スライダ７を休止状態に正しく位置させる。
v 外管３をスリーブ４に取り付け、外管３の側方開口２２をスリーブ４の外部突起１４に掛合させると共に、外管３の方形孔４８をスリーブ４の突起４９に掛合させ、外管３の端部２３をスリーブ４のカラー１３に衝合させる。
vi  この状態では、推力スライダ７の舌片３５は側方開口２２が残している小窓９から突出しており、押ボタン４１はスナップ掛合によって摺動スライダに固着されている。
従って、この伸縮管１は容易な、少ない工程で組み立てることができる。
【００３４】
図１２〜図１５は図１の伸縮管の変形の伸縮管５１を示し、図１と同一の部分は同一の符号にて示す。伸縮管５１においては、スライダ７の操作手段８は環状ナット５２によって形成されている。環状ナット５２の内壁５３にほぼＬ字状の溝５４と、縦溝５５とを設け、ほぼＬ字状の溝５６にこの縦溝５５を連結する（図１６〜図１８参照）。Ｌ字状溝５４はスライダ７の舌片３５の幅に等しい幅を有する縦方向の縦枝溝５８と、舌片３５の厚さに等しい幅を有する横方向の横枝溝５９とを有する。縦溝５５の幅は外管３に形成されたリリーフ６０の幅に等しく、Ｌ字状溝５６の縦枝溝６１の幅もリリーフ６０の幅に等しい。
【００３５】
環状ナット５２を推力スライダ７に固着し、環状ナット５２を縦方向に移動させて、舌片３５を先ず、Ｌ字状溝５４の縦枝溝５８内に摺動させ、次に環状ナット５２を回転運動させて、舌片３５をＬ字状溝５４の横枝溝５９内に移動させる。環状ナット５２が縦方向の運動を行う時は、外管３のリリーフ６０は縦溝５５内で摺動し、環状ナット５２が回転運動を行う時は、リリーフ６０はＬ字状溝５６の横方向の溝を経て、縦枝溝６１に達する。このようにして、バヨネット継手により環状ナット５２をスライダ７に固定すると共に、環状ナット５２を外管３に対して、縦方向に自由に摺動できるようにし、これによりスライダ７を縦方向に移動させて、伸長管５１の長さを調整する。
【図面の簡単な説明】
【図１】  本発明の家庭用電気機器の伸縮管の縦断面図である。
【図２】  図１のII-II 線上の横断面図である。
【図３】  第１作動状態にある図１の伸縮管の部分断面図である。
【図４】  第２作動状態にある図１の伸縮管の部分断面図である。
【図５】  図１の伸縮管の平面図である。
【図６】  図１の伸縮管の側面図である。
【図７】  図１の伸縮管の分解図である。
【図８】  図１の伸縮管の推力スライダの平面図である。
【図９】  図８の推力スライダの底面図である。
【図１０】  図８の推力スライダの左側面図である。
【図１１】  図８の推力スライダの右側面図である。
【図１２】  図１の伸縮管の変形の縦断面図である。
【図１３】  図１２のXIII-XIII 線上の横断面図である。
【図１４】  第１作動状態にある図１２の伸縮管の部分断面図である。
【図１５】  第２作動状態にある図１２の伸縮管の部分断面図である。
【図１６】  図１２の伸縮管の環状ナットの横断面図である。
【図１７】  図１６のXVII-XVII 線上の横断面図である。
【図１８】  図１６のXVIII-XVIII 線上の横断面図である。
【符号の説明】
１、５１  伸縮管
２  内管
３  外管
４  スリーブ
５、６  拘束手段、円筒体
７  推力スライダ
８  操作手段
９  小窓
１０  溝
１１  底壁
１２  切欠
１３  カラー
１４  外部突起
１５  縦方向の空所、空所
１６  内部張出し
１８  底壁
１９  凹所
２０、２１  長方形溝孔
２２  側方開口
２３  端部、一端
２４  螺旋ばね、弾性手段
２５  長方形板
２６、２７、２８、２９、３０  溝孔
３１、３２、３３、３４  傾斜端縁部
３５  突出舌片
３６、４３  アンダカット
３７、３８、３９、４０  側端部
４８  方形孔
４９  突起
５２  環状ナット
５４、５６  溝、Ｌ字状溝
５５  縦溝
５８、６１  縦枝溝
５９  横枝溝
６０  リリーフ
【図１】
0004450967.tif 000002
【図２】
0004450967.tif 000003
【図３】
0004450967.tif 000004
【図４】
0004450967.tif 000005
【図５】
0004450967.tif 000006
【図６】
0004450967.tif 000007
【図７】
0004450967.tif 000008
【図８】
0004450967.tif 000009
【図９】
0004450967.tif 000010
【図１０】
0004450967.tif 000011
【図１１】
0004450967.tif 000012
【図１２】
0004450967.tif 000013
【図１３】
0004450967.tif 000014
【図１４】
0004450967.tif 000015
【図１５】
0004450967.tif 000016
【図１６】
0004450967.tif 000017
【図１７】
0004450967.tif 000018
【図１８】
0004450967.tif 000019